(57)【要約】【課題】本発明は、重量超過発生警報装置及びこれを用いるキャビネットを提供することを目的とする。【解決手段】本発明のキャビネットは、電子設備を収容したラック及び重量超過発生警報装置を備え、前記重量超過発生警報装置は、重量計測回路、ＡＤ変換チップ、制御チップ及び警報装置を備え、前記重量計測回路は、前記ラックの底部に設置される少なくとも１つの重量センサーを備え、前記重量センサーは、前記ラックの重量を感知してアナログ信号に変換してから前記重量計測回路によって前記ＡＤ変換チップに送信し、前記ＡＤ変換チップは、前記アナログ信号をデジタル信号に変換してから前記制御チップに送信し、前記制御チップは、前記デジタル信号を規定した重量と比較して、もし規定した重量を超過すると、前記警報装置を制御して警報を出す。【選択図】図２
2012237750.tif 000002
【特許請求の範囲】
【請求項１】
重量計測回路、ＡＤ変換チップ、制御チップ及び警報装置を備えてなる重量超過発生警報装置であって、
前記重量計測回路は、少なくとも１つの重量センサーを備え、
前記重量センサーは、重量を感知してアナログ信号に変換してから前記重量計測回路によって前記ＡＤ変換チップに送信し、
前記ＡＤ変換チップは、前記アナログ信号をデジタル信号に変換してから前記制御チップに送信し、
前記制御チップは、前記デジタル信号を規定した重量と比較して、もし規定した重量を超過すると、前記警報装置を制御して警報を出すことを特徴とする重量超過発生警報装置。
【請求項２】
前記重量超過発生警報装置は、表示装置をさらに備え、
前記表示装置は、駆動回路及び表示スクリーンを備えることを特徴とする請求項１に記載の重量超過発生警報装置。
【請求項３】
電子設備を収容するラック及び重量超過発生警報装置を備えてなるキャビネットであって、
前記重量超過発生警報装置は、重量計測回路、ＡＤ変換チップ、制御チップ及び警報装置を備え、
前記重量計測回路は、前記ラックの底部に設置される少なくとも１つの重量センサーを備え、前記重量センサーは、前記ラックの重量を感知してアナログ信号に変換してから前記重量計測回路によって前記ＡＤ変換チップに送信し、
前記ＡＤ変換チップは、前記アナログ信号をデジタル信号に変換してから前記制御チップに送信し、
前記制御チップは、前記デジタル信号を、規定した重量と比較して、もし規定した重量を超過すると、前記警報装置を制御して警報を出すことを特徴とするキャビネット。
【請求項４】
前記ラックの底部には、４つの支持部が設置され、４つの前記支持部の底部にそれぞれ１つの前記重量センサーが設置されて地面に接触することを特徴とする請求項３に記載のキャビネット。
【発明の詳細な説明】
【技術分野】
【０００１】
本発明は、規定した重量を超過すると自動的に警報を出すキャビネットに関するものである。
【背景技術】
【０００２】
情報技術の発展に伴って、知識経済も増長し、データを貯蓄及び演算するために、各種のデータ貯蓄センター及びデータ演算センターが確立した。複数のサーバーを１つのキャビネットに装着すると、空間を節約するばかりでなく、且つ便利に管理することができ、複数のサーバーが協同して作動するため、大きい演算項目を実行することができる。従って、サーバーキャビネットは、データ貯蓄センター及びデータ演算センターを確立する時に広く応用される。
【発明の概要】
【発明が解決しようとする課題】
【０００３】
しかし、キャビネットが長期間、規定した重量を超過すると、キャビネットが変形しやすくなり、内部に取り付けられているサーバーの位置が移動してしまうという問題を招く。
【０００４】
本発明の目的は、前記課題を解決し、規定した重量を超過すると自動的に警報を出す重量超過発生警報装置及びこれを用いるキャビネットを提供することである。
【課題を解決するための手段】
【０００５】
本発明に係る重量超過発生警報装置は、重量計測回路、ＡＤ変換チップ、制御チップ及び警報装置を備え、前記重量計測回路は、少なくとも１つの重量センサーを備え、前記重量センサーは、重量を感知してアナログ信号に変換してから前記重量計測回路によって前記ＡＤ変換チップに送信し、前記ＡＤ変換チップは、前記アナログ信号をデジタル信号に変換してから前記制御チップに送信し、前記制御チップは、前記デジタル信号を規定した重量と比較して、もし規定した重量を超過すると、前記警報装置を制御して警報を出す。
【０００６】
本発明に係るキャビネットは、電子設備を収容したラック及び重量超過発生警報装置を備え、前記重量超過発生警報装置は、重量計測回路、ＡＤ変換チップ、制御チップ及び警報装置を備え、前記重量計測回路は、前記ラックの底部に設置される少なくとも１つの重量センサーを備え、前記重量センサーは、前記ラックの重量を感知してアナログ信号に変換してから前記重量計測回路によって前記ＡＤ変換チップに送信し、前記ＡＤ変換チップは、前記アナログ信号をデジタル信号に変換してから前記制御チップに送信し、前記制御チップは、前記デジタル信号を規定した重量と比較して、もし規定した重量を超過すると、前記警報装置を制御して警報を出す。
【発明の効果】
【０００７】
従来の技術に比べて、本発明のキャビネットには、重量超過発生警報装置が設置され、前記キャビネットの重量をリアルタイムにモニタリングすることができ、もし前記キャビネットが規定した重量を超過すると、すぐ警報を出して、前記キャビネットの長時間の重量超過による変形及び内部電子設備の位置移動を免れる。
【図面の簡単な説明】
【０００８】
【図１】本発明の実施形態に係るキャビネットの立体図である。
【図２】図１に示すキャビネットに用いられる重量超過発生警報装置の回路図である。
【図３】図１に示すキャビネットに用いられる重量超過発生警報装置のブロック図である。
【発明を実施するための形態】
【０００９】
以下、図面を参照して、本発明の実施形態について説明する。
【００１０】
図１〜図３を参照すると、本発明の実施形態に係るキャビネット１０は、ラック１１及び重量超過発生警報装置１２を備える。
【００１１】
前記ラック１１の内部には、サーバーのような電子設備が収容され、もし前記電子設備が重過ぎると、前記ラック１１の変形を招く。本実施形態において、前記ラック１１の底部には、４つの支持部１１１が設置される。
【００１２】
前記重量超過発生警報装置１２は、前記ラック１１に設置される。図２及び図３を参照すると、前記重量超過発生警報装置１２は、重量計測回路１３、ＡＤ変換チップ１４、制御チップ１５、警報装置１６及び表示装置１７を備える。
【００１３】
前記重量計測回路１３は、少なくとも１つの重量センサー１３１を備える。前記重量センサー１３１は、前記ラック１１の底部に設置されて前記ラック１１の重量を感知するために用いられ、且つ前記ラック１１の重量をアナログ信号に変換してから前記重量計測回路１３によって前記ＡＤ変換チップ１４に送信する。本実施形態において、４つの前記重量センサー１３１が、それぞれ前記ラック１１の４つの支持部１１１の底部に設置されて地面に接触する。
【００１４】
前記ＡＤ変換チップ１４は、前記重量計測回路１３と前記制御チップ１５との間に接続されて、前記重量計測回路１３からのアナログ信号をデジタル信号に変換してから前記制御チップ１５に送信する。本実施形態において、前記ＡＤ変換チップ１４は、ＡＤ７１９５チップを採用する。
【００１５】
前記制御チップ１５は、前記ＡＤ変換チップ１４に接続されて、前記ＡＤ変換チップ１４からのデジタル信号を規定した重量と比較して、もし規定した重量を超過すると、前記警報装置１６に警報信号を送信する。前記制御チップ１５は、各種の規格のシングルチップマイクロコンピュータ又はＡＲＭチップであることができる。本実施形態において、前記制御チップ１５は、８９Ｃ５２シングルチップマイクロコンピュータを採用する。
【００１６】
前記警報装置１６は、前記制御チップ１５に接続されて、前記制御チップ１５からの警報信号を受信して警報する。前記警報装置１６は、音声警報装置又はランプ警報装置であることができる。本実施形態において、前記警報装置１６はブザーである。
【００１７】
前記表示装置１７は、駆動回路１７１及び表示スクリーン１７２を備える。前記駆動回路１７１は、前記制御チップ１５に接続され、前記制御チップ１５は、前記駆動回路１７１によって重量情報を前記表示スクリーン１７２に表示する。本実施形態において、前記表示スクリーン１７２は、液晶表示スクリーンであり、前記ラック１１の上部に取り付けられる。
【００１８】
本発明のキャビネット１０には重量超過発生警報装置１２が設置されて、前記キャビネット１０の重量をリアルタイムにモニタリングすることができ、もし前記キャビネット１０が規定した重量を超過すると、すぐ警報を出して、前記キャビネット１０の長時間の重量超過による変形及び内部電子設備の位置移動を免れる。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２０】
１０  キャビネット
１１  ラック
１２  重量超過発生警報装置
１３  重量計測回路
１４  ＡＤ変換チップ
１５  制御チップ
１６  警報装置
１７  表示装置
１１１  支持部
１３１  重量センサー
１７１  駆動回路
１７２  表示スクリーン
【図１】
2012237750.tif 000003
【図２】
2012237750.tif 000004
【図３】
2012237750.tif 000005